(57)【要約】 【課題】安全性、作業安定性のみならず、作業効率及び経済性に優れた流水路内側壁作業用足場の設置方法を提供すること。 【解決手段】   流水路内側壁作業用足場の設置方法であって、流水路上流側から足場ユニットを降ろし、該足場ユニットを下流側に横行レールにより移動させ、これを順次繰り返し、数ユニットの足場ユニットを連結し、連結された足場ユニットに水流制限板を設けると共に、控えにより支持する流水路内側壁作業用足場の設置方法を採用する。 【選択図】図１２
2015010366.tif 000002
【特許請求の範囲】
【請求項１】
開口型流水路上の開口部内に、足場ユニットの吊り上げ吊り降ろしを案内する一または複数の昇降ガイドをこの流水路の高さ方向に沿って縦設する昇降ガイド設置工程と、
上記流水路内の側壁に、上記開口部内に吊り降ろされた足場ユニットの横移動を案内する横行レールをこの流水路の長手方向に沿って配設する横行レール配設工程と、
上記昇降ガイド及び上記横行レールに沿って複数の足場ユニットを移動し、その足場ユニットを上記流水路の長手方向に互いに所定間隔をおいて設置する足場ユニット設置工程と、
隣り合う上記足場ユニットを互いに連結することによって作業用足場を組立てる作業用足場組立工程と、
上記作業用足場の周囲の流水に面する範囲に作業用足場内を流れる流水の流速を低減する水流制限板を設置する水流制限板設置工程とを有することを特徴とする流水路内側壁作業用足場の設置方法。
【請求項２】
上記足場ユニット設置工程は、上記足場ユニットに水流方向上流側に突出して設けられた被昇降ガイド部を上記昇降ガイドに嵌合させて吊り降ろす吊り降ろし工程と、
上記足場ユニットを上記横行レールに移動する際に、上記被昇降ガイド部をこの足場ユニットと分離させて上記昇降ガイドから開放させる分離工程を含むことを特徴とする請求項１に記載の流水路内側壁作業用足場の設置方法。
【請求項３】
上記被昇降ガイド部は、上記足場ユニットにクサビにより容易に固定される嵌合具とし、上記クサビを抜くことにより上記被昇降ガイド部を上記足場ユニットと分離させることを特徴とする請求項２に記載の流水路内側壁作業用足場の設置方法。
【請求項４】
上記足場ユニット設置工程は、上記被昇降ガイド部に落下防止用のロープを取り付けてこのロープを引き上げることにより上記被昇降ガイド部を上記昇降ガイドから取り外す分離工程を含むことを特徴とする請求項２または３に記載の流水路内側壁作業用足場の設置方法。
【請求項５】
上記昇降ガイドの下端は、水中の被昇降ガイド部の上端よりも上方であることを特徴とする請求項２ないし４のいずれかに記載の流水路内側壁作業用足場の設置方法。
【請求項６】
上記水流制限板設置工程は、上記作業用足場に流水に面する部位に高さ方向に沿って水流制限板ガイドを突出して設け、流水の水面より上方からその水流制限板ガイドに沿って落下させる工程を含むことを特徴とする請求項１ないし５のいずれかに記載の流水路内側壁作業用足場の設置方法。
【請求項７】
上記昇降ガイド設置工程は、上記流水路上の開口部にガイド固定架台を設置し、そのガイド固定架台にガイド固定治具を設け、そのガイド固定治具に沿わせて上記昇降ガイドをこの開口部内に吊り降ろして固定する工程を含むことを特徴とする請求項１ないし６のいずれかに記載の流水路内側壁作業用足場の設置方法。
【発明の詳細な説明】
【技術分野】
【０００１】
本発明は、流水路内側壁作業用足場の設置方法に関し、詳しくは安全性、作業安定性が良好で、高い作業効率を有し、しかも経済性に優れた流水路内側壁作業用足場の設置方法に関する。 
【背景技術】
【０００２】
火力発電プラントや原子力発電プラントでは、冷却水として海水を用いるため海岸近傍に立地している。この冷却水としての海水は、コンクリート製の取水路から冷却装置に取水されている。この冷却装置に冷却水を取水する取水路は、長いものでは数キロメートルにも及ぶものもある。この取水路は、経済性や保守の点から開口型取水路が多数ある。 
【０００３】
この開口型取水路のコンクリート内側壁は、海水と接しており、藻類や貝類等の海生生物が付着し、成育していく。このような海生生物は内側壁から取水路中に脱落する。この脱落した海生生物は取水された海水と共に流れ出し、取水路を閉塞させたり、冷却装置を汚損または破損させる原因となる。 
【０００４】
この対策のため、取水路内側壁に付着した藻類や貝類等の海生生物の物理的除去や取水路内側壁への防汚塗料の塗布が行われている。また、取水路内側壁に防汚パネルを取り付け、電気的に取水路内側壁を防汚する試みがなされ、既に実用化されている。 
【０００５】
このような海生生物の物理的除去、防汚塗料の塗布や防汚パネル設置は、海水が流れている取水路中で行うため、通常の構造物の作業と同様に行うことができず、作業用足場もこれに対応する必要がある。このため、その作業用足場として、立体格子状に組み立てた鋼製ケージを準備し、その鋼製ケージの中で潜水士が作業を行っている。しかし、潜水作業が流速０．５ｍ／ｓ〜１．０ｍ／ｓ以下に限られたり、また作業範囲が鋼製ケージと対向した面に限られたりするから、作業効率が悪くなりコストの増大を招いている。 
【０００６】
従来、水中構造物の構築に伴う組立溶接、切断、検査等の各作業や保守に伴う清掃、表面処理及び塗装等の各作業に用いられる作業用足場は、水中で作業を行うという特殊性から種々の提案がなされている。 
【０００７】
特許文献１（実公昭５８−２４９７９号公報）には、水中の柱体を相互に囲設可能に分割された複数の足場板と、同足場板の略中央部に上記柱体に直交状に当接可能に、かつ、当接方向に遊動可能に設けられた押金と、同押金をその遊動方向に押引可能に上記足場板に設けられたジャッキ体と、上記足場板相互を水中の上記柱体まわりに相互に連結して囲設する連結手段と、上記足場板の裏面に設けられた足場板の浮沈可能な浮袋とを備えてなる水中作業足場が記載されている。 
【０００８】
この特許文献１に記載の水中作業足場によって、突起物のない鋼管杭等に対しても溶接によらず容易に足場が架設できる等の利点を有するとされている。 
【０００９】
また、特許文献２（実開平１−１０５１４３号全文明細書）には、一側面に開放した箱体構造物内にグレーチング板よりなる足場板を設け、該足場板と底板との間に廃棄物回収区画を設けるとともに、岸壁側に支持装置を設け、該支持装置により上記箱体構造物をその開放面が岸壁側面に接するとともに、少なくとも横方向へ移動可能なように支持したことを特徴とする岸壁用足場装置が開示されている。 
【００１０】
特許文献２に記載の岸壁用足場装置は、岸壁側壁の塗装等の保守作業に用いられるもので、この岸壁用足場装置によれば、次の効果を有するとされています。（１）岸壁の側面の作業面を箱体構造物で囲繞するため潮流、波浪等の海象条件が作業面に作用することがなく、作業効率を大幅に向上させることができる、（２）側面への付着生物は足場板を通して生物回収区画内に落下回収されるため海中汚染を生ずることがない、（３）箱体構造物は側面に沿って横移動できるため、その作業範囲を広くすることができる。 
【００１１】
しかし、これら特許文献１及び２に記載の足場は、数百メートルから数キロメートルに及ぶ取水路等の流水路を対象とするものではない。また、この特許文献１に記載の足場を流水路に適用しようとしても、作業者が流水によって安全に作業することができず、作業安定性や作業効率にも劣ったものである。さらに、特許文献２に記載されているような箱体構造物の足場を適用すると、作業範囲が箱体構造物と対向した面に限られるから作業効率やコストの点で難があり、普及するには至っていないのが実情である。 
【００１２】
このことから、安全性、作業安定性のみならず、作業効率及び経済性に優れた取水路等の流水路内側壁作業用足場が求められている。 
【先行技術文献】
【特許文献】
【００１３】
【特許文献１】実公昭５８−２４９７９号公報
【特許文献２】実開平１−１０５１４３号全文明細書
【発明の概要】
【発明が解決しようとする課題】
【００１４】
従って、本発明の目的は、安全性、作業安定性のみならず、作業効率及び経済性に優れた流水路内側壁作業用足場の設置方法を提供することにある。 
【課題を解決するための手段】
【００１５】
本発明者らは、検討の結果、海水を用水として取水する取水路等の流水路では、水流に作業者が影響を受けないような安定した作業用足場を設置する必要があるという見地から、下記に示す工程により設置される作業用足場が、上記課題を解決できることを知見し、本発明に至った。 
【００１６】
すなわち、本発明は、開口型流水路上の開口部内に、足場ユニットの吊り上げ吊り降ろしを案内する一または複数の昇降ガイドをこの流水路の高さ方向に沿って縦設する昇降ガイド設置工程と、上記流水路内の側壁に、上記開口部内に吊り降ろされた足場ユニットの横移動を案内する横行レールをこの流水路の長手方向に沿って配設する横行レール配設工程と、上記昇降ガイド及び上記横行レールに沿って複数の足場ユニットを移動し、上記足場ユニットを上記流水路の長手方向に互いに所定間隔をおいて設置する足場ユニット設置工程と、隣り合う上記足場ユニットを互いに連結することによって作業用足場を組立てる作業用足場組立工程と、その作業用足場の周囲の流水に面する範囲に作業用足場内を流れる流水の流速を低減する水流制限板を設置する水流制限板設置工程とを有することを特徴とする。 
【００１７】
本発明に係る流水路内側壁作業用足場の設置方法において、上記足場ユニット設置工程は、上記足場ユニットに水流方向上流側に突出して設けられた被昇降ガイド部を上記昇降ガイドに嵌合させて吊り降ろす吊り降ろし工程と、上記足場ユニットを上記横行レールに移動する際に、上記被昇降ガイド部をこの足場ユニットと分離させて上記昇降ガイドから開放させる分離工程を含むことを特徴とする。  
【００１８】
本発明に係る流水路内側壁作業用足場の設置方法において、上記被昇降ガイド部は、上記足場ユニットにクサビにより容易に固定される嵌合具とし、上記クサビを抜くことにより上記被昇降ガイド部を上記足場ユニットと分離させることを特徴とする。
【００１９】
本発明に係る流水路内側壁作業用足場の設置方法において、上記足場ユニット設置工程は、上記被昇降ガイド部に落下防止用のロープを取り付けてこのロープを引き上げることにより上記被昇降ガイド部を上記昇降ガイドから取り外す分離工程を含むことを特徴とする。
【００２０】
本発明に係る流水路内側壁作業用足場の設置方法において、上記昇降ガイドの下端は、水中の被昇降ガイド部の上端よりも上方であることを特徴とする。
【００２１】
本発明に係る流水路内側壁作業用足場の設置方法において、上記水流制限板設置工程は、上記作業用足場に流水に面する部位に高さ方向に沿って水流制限板ガイドを突出して設け、流水の水面より上方からその水流制限板ガイドに沿って落下させる工程を含むことを特徴とする。
【００２２】
本発明に係る流水路内側壁作業用足場の設置方法において、上記昇降ガイド設置工程は、上記流水路上の開口部にガイド固定架台を設置し、そのガイド固定架台にガイド固定治具を設け、そのガイド固定治具に沿わせて上記昇降ガイドをこの開口部内に吊り降ろして固定する工程を含むことを特徴とする。
【発明の効果】
【００２３】
本発明に係る流水路内側壁作業用足場の設置方法によれば、取水路等の流水路において、その内側壁の保守等が安全性、作業安定性をもって行えると共に、作業効率及び経済性に優れる。 
【図面の簡単な説明】
【００２４】
【図１】図１（ａ）は、本発明の作業用足場設置前の状況を示す斜視図、図１（ｂ）は、支持梁の架設工程を説明する斜視図、図１（ｃ）は、（ｂ）のＡ−Ａ線に沿った断面図である。
【図２】図２は、本発明に係る横行レールの配設工程を説明する開口型取水路の開口部の側面図である。
【図３】図３は、ガイド固定架台の設置工程を説明する斜視図である。
【図４】図４は、ガイド固定架台に昇降ガイドを設置する状況を示す正面図である。
【図５】図５（ａ）は、ガイド固定用治具に沿って昇降ガイドを固定した状態を示す拡大正面図、図５（ｂ）は一部を省略した図５（ａ）のＢ−Ｂ線に沿った切断端面図、図５（ｃ）は一部を省略した図５（ａ）のＣ−Ｃ線に沿った切断端面図である。
【図６】図６は、足場ユニット組立工程を説明する斜視図である。
【図７】図７は、被ガイド部に水流制御板ガイドを嵌合した状態を示す斜視図である。
【図８】図８は、昇降ガイドに沿って足場ユニットを吊り降ろす状況を示す側面図である。
【図９】図９（ａ）は、図８の足場ユニットと昇降ガイドとの嵌合構造の拡大図、図９（ｂ）は、その断面図である。
【図１０】図１０は、昇降ガイドから足場ユニットを分離した状態を示す側面図である。
【図１１】図１１は、横行レール上に足場ユニットを移動した状態を示す側面図である。
【図１２】図１２は、昇降ガイド及び横行レールに沿って複数の足場ユニットを順次搬送する状況を示す斜視図である。
【図１３】図１３は、作業用足場組立工程を説明する斜視図である。
【図１４】図１４は、作業用足場の水流制限板ガイドに沿って水流制限板を吊り降ろす状況を示す斜視図である。
【図１５】図１５（ａ）は、取水路側壁の側面と直交する作業用足場の上流側及び下流側の端面に端部用の水流制限板を設置した状態を示す平面図、図１５（ｂ）は、作業用足場の上流側の端面が上流側に向けて傾斜した場合において、端部用の水流制限板を設置した状態を示す平面図である。
【図１６】図１６は、支持梁及びその上に設けた警戒用足場に控えを取って作業用足場を固定した状態を示す正面図である。
【発明を実施するための形態】
【００２５】
以下、本発明を実施するための形態について、図面に基づいて説明する。 
［支持梁架設工程］ 
図１（ａ）は本発明の作業用足場設置前の状況を示す斜視図、（ｂ）は支持梁架設工程を説明する斜視図、（ｃ）は（ｂ）のＡ−Ａ線に沿った切断端面図である。 
支持梁架設工程では、上方に開口する断面形状略Ｕ字状の開口型取水路１の開口部１ａに、複数本の形鋼材２ａの上に複数本の形鋼材２ｂを乗せてこの少なくとも四本の形鋼材を組み立てた井桁２ｃを取水路の長手方向に所定間隔で複数架設し、取水路側壁の上面１ｂで固定している。なお、本実施形態では、開口型取水路１は、火力発電プラント等の冷却水等に用いられる取水路を示しているが、これに限らず、一定方向に流れるその他の開口型流水路であってもよい。 
【００２６】
また、各井桁２ｃは、固定用桁２ｄにより相互に固定連結して支持梁２を形成する。支持梁２は、Ｈ形断面を有するＨ形鋼からなり、Ｈ形鋼どうしの間隔は適宜であるが、例えば５メートル間隔とする。この支持梁２の設置は、クレーンで吊り降ろし、アンカー３等で取水路側壁の上面１ｂに固定している。このように支持梁２を架設することにより、足場ユニット１０が流水の水圧を受けても水流方向にずれずに支持することができる。なお、支持梁２が開口部の既存梁４と重なる場合は、設置位置または設置間隔をずらして架設する。 
【００２７】
［横行レール配設工程］
次に、図２は本発明に係る横行レール配設工程を説明する開口型取水路の開口部の側面図である。図２に示すように、上記開口部１ａに上記取水路側壁の側面１ｃに沿って平行に横行レール５を配設する。まず、取水路の開口部１ａに対して横行レール５を配設するための複数の作業用ケージ（図示せず）を、取水路側壁の側面１ｃに沿って適宜の間隔で支持梁２下に設置する。作業用ケージは、本実施形態では、かご状の吊り足場により構成する。この場合のかご状の吊り足場の設置は、支持梁２にクランプで上下方向から挟んで固定することによって行う。そして、この作業用ケージを利用して、取水路側壁の側面１ｃに沿って適宜の間隔で支持梁２下に複数の高さ調整材６を設置する。この高さ調整材６は、Ｈ形断面または箱形断面を有する山留材により構成し、高さ調整材６の下方向の長さは、その下面が既存梁４の下面より下方の高さ位置までの長さである。なお、本実施形態では、支持梁２を架設した後に支持梁２と高さ調整材６とを接続しているが、これに限定することはなく、支持梁２の架設前に地上で形鋼材２ａに高さ調整材６を接続しておいてもよい。
【００２８】
次に、上記作業用ケージを利用して、この高さ調整材６下に取水路側壁の側面１ｃに沿って平行に横行レール５を配設する。この横行レール５は、Ｉ形断面を有する形鋼または角ばったＣ形断面を有するリップ溝形鋼により構成している。また、横行レール５の上面には、高さ調整材６の下面に形成された接続孔と対応する位置に接続孔を形成している。これらの接続孔にボルトを挿通してナット締めすることにより、高さ調整材６と横行レール５とを接続する。この横行レール５は後述する足場ユニット１０を横移動させるためのものである。なお、本実施形態では、横行レール５が取水路の既存梁４に当たらないように配設するために高さ調整材６を介して支持梁２と横行レール５とを接続しているが、取水路の開口部に既存梁４などの障害物が存在しない場合は直接に支持梁２と横行レール５とを接続してもよい。
【００２９】
［ガイド固定架台設置工程］ 
図３はガイド固定架台設置工程を説明する斜視図である。図３に示すように、支持梁２上に作業台７ａを設置し、この作業台７ａに複数の縦桟７ｂを立設し、各縦桟７ｂと直交するように複数の横桟７ｃを相互に間隔をあけて並行に固定することにより、ガイド固定架台７を設置する。このガイド固定架台７は、後述する昇降ガイド９が受ける流水の水圧に耐えられるよう堅牢に固定させるためのものである。
【００３０】
作業台７ａは、敷鉄板、グレーチングプレートまたはパンチングプレートにより構成し、作業台７ａの大きさは、例えば１．５ｍ×７．３ｍ程度とすることができる。そして、複数の縦桟７ｂは、作業台７ａにおける下流側の隅近傍に取水路の横断方向に沿って適宜の間隔で配置し、溶接またはボルト止め等により作業台７ａに接合する。次に複数の横桟７ｃは、Ｈ形断面を有するＨ形鋼により構成し、作業台７ｃから突出させて溶接またはボルト止め等により複数の縦桟７ｂに取り付ける。この横桟７ｃには、昇降ガイド９を所定位置に固定するための複数の昇降ガイド固定孔７ｄと、後述するガイド固定用治具８を固定するための複数の治具固定孔７eとを形成している。また、縦桟７ｂの胴部と作業台７ａ間にブラケット７ｇを傾斜させて接続して補強することが望ましい。これにより縦桟７ｂのがたつきを抑えることができる。
【００３１】
［昇降ガイド設置工程］
図４はガイド固定架台に昇降ガイドを設置する状況を示す正面図、図５（ａ）はガイド固定用治具に沿って昇降ガイドを固定した状態を示す拡大正面図、（ｂ）は一部を省略した（ａ）のＢ−Ｂ線に沿った切断端面図、（ｃ）は一部を省略した（ａ）のＣ−Ｃ線に沿った切断端面図である。 
【００３２】
昇降ガイド設置工程では、まず、図４及び図５に示すように、クランク形状の一対のガイド固定用治具８をガイド固定架台７の所定位置に設ける。具体的には、ガイド固定用治具８に形成した固定孔８ａを、ガイド固定架台７における横桟７ｃの治具固定孔７eに合致させてボルト止めすることにより取り付ける。次に一対のガイド固定用治具８に沿わせて上記流水路の開口部１ａ内に昇降ガイド９を吊り降ろす。昇降ガイド９は、Ｈ形断面を有するＨ形鋼により構成し、昇降ガイド９には、昇降ガイド９を所定位置に固定するための複数の固定孔９ａを形成している。この固定孔９ａを、ガイド固定架台７における横桟７ｃの昇降ガイド固定孔７ｄに合致させてボルト止めすることにより設置する。なお、昇降ガイド９の本数に関しては一本でもよいが、後述する足場ユニット１０を安定して吊り降ろすことを考慮すると、複数の方が好ましい。
【００３３】
このような昇降ガイド設置工程によれば、一または複数の昇降ガイド９を一対のガイド固定用治具８で拘束しているから、昇降ガイド９が流水により応力を受けた場合でもガイド固定架台７に対して容易に固定することができる。
【００３４】
［足場ユニット組立工程］ 
図６は足場ユニット組立工程を説明する斜視図、図７は被ガイド部に水流制御板ガイドを嵌合した状態を示す斜視図である。足場ユニット１０は、図６に示すように、四隅に立設するようにそれぞれが並行する複数（ここでは６本）の支柱１０aと、この支柱１０aを互いに隣り合うものどうしで連結するように幅方向及び長さ方向に連結する複数の長短の水平材１０ｂと、幅方向に配列した短尺の水平材１０ｂ間に架設する作業床１０ｃを備える。この足場ユニット１０は、複数の層及びスパンからなり、作業床１０ｃの一部には開閉可能な不図示のハッチを備え、各ハッチに不図示の梯子を架設して、それぞれの作業床１０ｃを往来可能となっている。また、上下の作業床１０ｃの中途には、足場ユニット１０の外周を囲むように手摺り１０ｄを備える。
【００３５】
次いで、足場ユニット１０の流水側（取水路側壁の側面１ｃから見て後踏み側）になる側面には、水流制限板１５を備える。水流制限板１５は、図７に示すように、足場ユニット１０側の面に被ガイド部１６を備え、この被ガイド部１６は、足場ユニット１０に設ける水流制限板ガイド１４を嵌合している。このように被ガイド部１６及び水流制限板ガイド１４を備えることによって、水流制限板１５を所定位置に容易に設置することができる。被ガイド部１４および水流制御板ガイド１４の構造は後述する。そして、Ｕ字状パイプ取付具１５ｄによって、水流制限板１５を水平材１０ｂ及び手摺り１０ｄに固定している。水流制限板１５の高さは、直接流水に接する範囲を超える高さであり、水流制限板１５の長さは、ここでは、水流方向における最上流位置及び最下流位置の支柱１０aを除き、ほぼ全長にわたる長さである。なお、このように最上流位置及び最下流位置の支柱１０aを除くことで、この支柱１０aに設ける水流制限板ガイド１４を露出することができ、この水流制限板ガイド１４を設けることによって後述する隣り合う足場ユニット１０間に水流制限板１５を設置することができる。
【００３６】
さらに、後述する複数の足場ユニット１０を互いに連結して組立てられる作業用足場２０における上流側及び下流側の端面にも、水流制限板１５を備える。この水流制限板１５は、上記の流水側の側面に設置する水流制限板１５と同様に、足場ユニット１０側の面に被ガイド部１６を備え、この被ガイド部１６は、足場ユニット１０に設ける水流制限板ガイド１４を嵌合している。なお、上記では、足場ユニット１０の組立時に水流制限板１５を足場ユニット１０に備えていると説明したが、これに限定することはなく、例えば取水路側壁の側面１ｃに沿って足場ユニット１０を移動した後に水流制限板１５を設置することも可能であり、これも本発明の技術的範囲に含まれることは言うまでもない。
【００３７】
足場ユニット１０を構成する支柱１０aには足場用鋼管を使用している。この支柱１０aには、クサビを打ち込むための小孔１０ｆが円周方向一定間隔置きに形成した円形連結用鍔１０ｆを高さ方向に所定間隔、例えば３０ｃｍを置いて複数固着している。この小孔１０ｆは水平材１０ｂ、手摺り１０ｄ、足場ユニットの被昇降ガイド部１１、水流制限板ガイド１４を取り付けるための孔である。一方、被昇降ガイド部１１を、最上流位置の支柱１０aから上流側に複数それぞれ設ける。この被昇降ガイド部１１を設けることによって、足場ユニット１０が流水により応力を受けても安定して正しい位置に吊り降ろすことができる。そして、水流制限板ガイド１４を、取水路側壁の側面１ｃから見て後踏み側となる支柱１０a及び後述する作業用足場２０の上流側及び下流側の端面を構成する支柱１０aにおいて、支柱１０aから流水と面する向きに複数それぞれ設けている。
【００３８】
なお、ここでは、水流制限板ガイド１４を、それを着脱するのを容易にするために、支柱１０aの連結用鍔１０ｆに設けるものとして説明したが、これに限らず、例えば、支柱１０a、水平材１０ｂまたは手摺り１０ｄに設けてもよい。
【００３９】
水流制限板１５は、剛性を有するパンチングメタルまたは金網であり、その片面にＨ形鋼からなる被ガイド部１６を備える。また、水流制限板１５は、足場ユニット１０の流水側側面に設置する足場ユニット用の水流制限板１５ａと、隣り合う足場ユニット１０を連結する連結部２０ａに設置する連結部用の水流制限板１５ｂと、この連結する複数の足場ユニット１０のうちの最上流側または最下流側の端面に設置する端部用の水流制限板１５ｃを有し、それら３種の水流制限板１５ａ，１５ｂ，１５ｃは同一であってもよいし、または互いに異なっていてもよい。ここでは、３種の水流制限板１５ａ，１５ｂ，１５ｃは、それぞれ寸法が異なる。さらに、水流制限板１５に対する被ガイド部１６の固着位置は、足場ユニット用の水流制限板１５ａにおいては、水流制限板１５長辺の中間位置の高さ方向に沿って被ガイド部１６を備えている。これに対し、連結部用の水流制限板１５ｂおよび端部用の水流制限板１５ｃは、水流制限板１５の高さ方向をなす２辺近くに被ガイド部１６を備えている。
【００４０】
足場ユニットの被昇降ガイド部１１及び水流制限板ガイド１４は、昇降ガイド９及び水流制限板の被ガイド部１６にそれぞれ嵌合する嵌合具である。この嵌合具は、断面形状略Ｃ字状の溝形鋼１３と、この溝形鋼１３の溝外面中央に固着しているクサビ部１２を備えている。このクサビ部１２は、クサビ１２ｂと、このクサビ１２ｂを差し込み可能に形成された小孔１２ａを備えている。そして、このクサビ部１２の小孔１２ａを、支柱１０aに固着された連結用鍔１０ｆの小孔１０ｆに合わせてクサビ１２ｂを差し込むことにより水流制限板ガイド１４及び足場ユニットの被昇降ガイド部１１を足場ユニット１０に装着する。
【００４１】
水平材１０ｂ及び手摺り１０ｄには足場用鋼管を使用し、これらの両端部にはクサビ部１２をそれぞれ備えている。水平材１０ｂ及び手摺り１０ｄを支柱１０aの連結用鍔１０ｆ間に水平に複数段に架け渡し、クサビ部１２のクサビ１２ｂを差し込むことにより支柱１０aと連結する。
【００４２】
足場ユニット１０の水平面の広さ及び高さは、適宜に設定できるが、ここでは水平面の広さ３７００mm×６８０mm、高さ３９００mmとしている。そして、このように足場ユニット１０を地上で組み立てているため、作業者の安全を図るとともに短時間に作業用足場を仮設することができる。
【００４３】
［足場ユニット設置工程］ 
図８は昇降ガイドに沿って足場ユニットを吊り降ろす状況を示す側面図、図９（ａ）は昇降ガイドと足場ユニットとの嵌合構造を示す拡大側面図、（ｂ）は（ａ）のＢ−Ｂ線に沿った切断端面図、図１０は昇降ガイドから足場ユニットを分離した状態を示す側面図、図１１は横行レール上に足場ユニットを移動した状態を示す側面図、図１２は昇降ガイド及び横行レールに沿って複数の足場ユニットを順次搬送する状況を示す斜視図である。
【００４４】
足場ユニット設置工程では、まず、図８に示すように、搬出入用横行レール１７内にトロリ１８を係止させて設け、このトロリ１８より吊り下げるラッシングロッドなどの吊具１９によって足場ユニット１０を懸架する。搬出入用横行レール１７は、Ｈ形断面を有するＨ形鋼により構成する（懸架工程）。
【００４５】
次に、上記搬出入用横行レール１７をクレーンで取水路の開口部１ａに移動し、図９に示すように、足場ユニット１０に備えた複数の被昇降ガイド部１１を昇降ガイド９に嵌合させて吊り降ろしていき、搬出入用横行レール１７の高さと、横行レール５の高さを合わす。このように昇降ガイド９を利用するため、流水により応力を受けても、安全かつ容易に足場ユニット１０を吊り降ろすことができる。また、ここでは、足場ユニット１０には高さ方向に複数の被昇降ガイド部１１を設けており、足場ユニット１０を吊り降ろしていく際、この複数のうち少なくとも１つが水中に入って２つ以上が水面上方に残っている。この水中の被昇降ガイド部１１は、搬出入用横行レール１７の高さ位置を合わせたときに水中の被昇降ガイド部１１の上端が昇降ガイド９の下端より低くなり、昇降ガイド９から外れる。これにより流水中において被昇降ガイド部１１を脱着する作業がなくなるから、安全で効率的な作業となり好ましい。なお、上記では、足場ユニット１０を吊り降ろすことによって人手をかけずに水中の被昇降ガイド部１１を昇降ガイド９から外すと説明したが、これに限定することはなく、足場ユニット１０設置範囲の６０％以上かつ被昇降ガイド部１１の全数のうち半数以上が流水の水面より下方にある場合、外れていない水中の被昇降ガイド部１１を潜水士が水中に入って脱着するようにしてもよい（吊り降ろし工程）。
【００４６】
次にトロリ１８の係止を解除し、搬出入用横行レール１７を横行レール５に向かって移動させる。そして、搬出入用横行レール１７と横行レール５との端面どうしを突き合わせて、添板とボルトにより連結する。この際、足場ユニット１０を昇降ガイド９に係着したままにしておく。これによって、安全かつ容易な作業となり少人数の作業者で連結を行なうことができる（連結工程）。続いて、再度トロリ１８を係止し、図１０に示すように、足場ユニット１０を昇降ガイド９から分離する。この分離は、まず、被昇降ガイド部１１の落下を防止するためのロープ２１をガイド固定架台７からそれぞれ吊り降ろし、このロープ２１の一端を被昇降ガイド部１１のクサビ部１２に繋着する。なお、ロープ２１は足場ユニット１０の吊り降ろし前に繋着しておいてもよい。次に、このクサビ部１２の小孔１２aからクサビ１２ｂを抜くことによって、被昇降ガイド部１１を足場ユニット１０から分離させる。そして、ガイド固定架台７からロープ２１を巻き取ることによって、この被昇降ガイド部１１を昇降ガイド９に沿って引き上げて回収する。なお、搬出入用横行レール１７を横行レール５に連結した際、昇降ガイド９から既に外れている被昇降ガイド部１１は、そのまま足場ユニット１０に残しておいても良い。（分離工程）
【００４７】
次に、トロリ１８の係止を解除し、図１１に示すように、懸架された足場ユニット１０を搬出入用横行レール１７から横行レール５に移動する。この移動は、まず、ロープまたはワイヤの一端をトロリ１８に固定し、他端を例えば後述する安全対策のための警戒用足場２１または取水路側壁の上面１ｂの作業者に渡す。そして、この渡されたロープまたはワイヤを引き綱として作業者が引っ張ることによって所定の位置まで足場ユニット１０を移動し、トロリ１８を係止する。また、搬出入用横行レール１７は横行レール５との固定を解除し、クレーンによってその搬出入用横行レール１７を吊り上げ、地上に移動する。なお、ここでは足場ユニット１０をロープを使用して移動しているが、トロリ１８にモータやチェーンブロック等の駆動源を設けてレール上を移動できる構成しても良い。（移動工程）。 
【００４８】
そして、図１２に示すように、上記工程（懸架工程〜移動工程）をサイクルとして繰り返し、複数の足場ユニット１０をそれぞれ所定の間隔をあけて設置する。
【００４９】
［作業用足場組立工程］ 
図１３は作業用足場組立工程を説明する斜視図である。図１３に示すように、作業用足場は、所定の間隔をあけて設置された複数の上記足場ユニット１０と、隣り合う足場ユニット１０を連結する連結部２０ａとから構成する。連結部２０ａは、水平材１０ｂ、手摺り１０ｄ及び作業床１０ｃであり、足場ユニット１０と同様の構成を有する。作業用足場組立工程では、まず、両端部にクサビ部１２をそれぞれ備えている水平材１０ｂ及び手摺り１０ｄを、隣り合う足場ユニット１０の支柱１０aにおける連結用鍔１０ｆ間に水平に架け渡し、このクサビ部１２によって支柱１０aと連結する。そして、幅方向に配列した水平材１０ｂ間に作業床１０ｃを架設することによって作業用足場２０を組立てる。また、水平材１０ｂ、手摺り１０ｄ及び作業床１０ｃの高さ位置は、足場ユニット１０のこれらと同一高さにするのがよい。これにより作業員が作業用足場２０内を安全かつ円滑に歩行することができる。
【００５０】
作業用足場２０の組立ては、気中から水中に向けて全ての高さ位置を一括して行うこともできるが、水中作業となり危険性があるため、次の順序で行うようにすることが好ましい。まず、水面より上方の高さ位置において隣り合う足場ユニット１０を連結する連結部２０ａを架設する。次に、後述する水流制限板設置工程である水流制限板１５の落とし込みの後に、残りの高さ位置における連結部２０ａを架設することによって作業用足場２０の組立てを完了する。また、作業用足場２０の組立ては、全ての隣り合う足場ユニット１０を一括して連結してもよいし、数ユニット単位で連結してもよい。
【００５１】
［水流制限板設置工程］ 
図１４は作業用足場の水流制限板ガイドに沿って水流制限板を吊り降ろす状況を示す斜視図である。水流制限板設置工程では、図１４に示すように、水面より上方の高さ位置の作業床１０ｃ上から、作業用足場２０に高さ方向に備えた水流制限板ガイド１４に、水流制限板１５に備えた被ガイド部１６を嵌合させる。そして、その水流制限板ガイド１４に沿って水流制限板１５を落下させ、作業用足場２０の下端から流水側に延出した支持具２０ｂ上に載置する。次に、水面より下方の高さ位置において、作業用足場２０の連結部２０ａを架設し、水流制限板１５を水平材１０ｂ及び手摺り１０ｄにＵ字状パイプ取付具１５ｄによって固定し、水流制限板１５の設置を完了する。また、隣り合う水流制限板１５は、互いに密接してもよいし、隙間があってもよい。
【００５２】
図１５（ａ）は取水路側壁の側面と直交する作業用足場の上流側及び下流側の端面に端部用の水流制限板を設置した状態を示す平面図であり、図１５（ｂ）は作業用足場の上流側の端面が上流側に向けて傾斜した場合において、端部用の水流制限板を設置した状態を示す平面図である。図１５（ａ）及び（ｂ）に示すように、端部用の水流制限板１５ｃは、取水路側壁の側面１ｃと直交してもよいし、傾斜してもよい。このように傾斜を設けることは、流水の流れをスムーズにし、端部用の水流制限板１５ｃが受ける水圧を低減することを意味する。また、端部用の水流制限板１５ｃは、取水路側壁の側面１ｃの際まで延びて設置することが望ましい。この接近する側縁部１５ｅは、ゴム製とすることが望ましい。それによって、端部用の水流制限板１５ｃと取水路側壁の側面１ｃとの接触による損傷を防止することができる。
【００５３】
［作業用足場固定工程］ 
図１６は支持梁及びその上に設けた警戒用足場に控えを取って作業用足場を固定した状態を示す正面図である。作業用足場固定工程では、図１６に示すように、作業用足場２０を組立てた後に、作業用足場２０の上部と支持梁２との間に直上方に延びる第１の控え材２２ａと、作業用足場２０の側部と支持梁２上に設けた警戒用足場２１との間に斜め上方に延びる第２の控え材２２ｂを架設する。この第１の控え材２２ａ及び第２の控え材２２ｂにより、作業用足場２０が水流に対して振れ動くことを防止することができる。なお、ここでの警戒用足場２１は、作業の安全を監視するためのものであり、支持梁２上において、取水路両側壁の中間に取水路の長手方向に沿って設けている。 
【００５４】
このような作業用足場２０によれば、水流制限板１５により囲まれた作業用足場２０内で水流による影響を少なく作業をすることができるので、安全に、しかも安定して高い作業効率を図ることができる。
また、作業用足場２０は、作業エリア全てを覆うように設置してもよいし、作業エリアをいくつかの区分に分けて、その区分を覆うように設置するようにし、区分ごとに作業が終わり次第作業用足場２０の位置を移動させることもできる。さらに、作業用足場２０の撤去は、設置と逆の手順に行うことで、より安全に効率的な作業が可能となる。
【産業上の利用可能性】
【００５５】
本発明に係る流水路内側壁作業用足場の設置方法によれば、取水路等の流水路において、その内側壁の保守、例えば海生生物の除去、防汚塗料の塗布、防汚パネル等の設置等が安全性、作業安定性をもって行えると共に、作業効率及び経済性に優れる。 
【００５６】
従って、本発明は、火力発電プラント等の取水路のような流水によって作業者の安全性や作業安定性が損なわれる場所での作業用足場の設置方法として好適に適用できる。 
【符号の説明】
【００５７】
１  開口型取水路、１ａ  開口部、１ｂ  取水路側壁の上面、１ｃ  取水路側壁の側面、２  支持梁、２ａ  形鋼材、２ｂ  形鋼材、２ｃ  井桁、２ｄ  固定用桁、３  アンカー、４  既存梁、５  横行レール、６  高さ調整材、７  ガイド固定架台、７ａ  作業台、７ｂ  縦桟、７ｃ  横桟、７ｄ  昇降ガイド固定孔、７ｅ  治具固定孔、７ｆ  ブラケット、８  ガイド固定用治具、８ａ  固定孔、９  昇降ガイド、９ａ  固定孔、１０  足場ユニット、１０ａ  支柱、１０ｂ  水平材、１０ｃ  作業床、１０ｄ  手摺り、１０ｅ  連結用鍔、１０ｆ  小孔、１１  足場ユニットの被昇降ガイド部、１２  クサビ部、１２ａ  小孔、１２ｂ  クサビ、１３  溝形鋼、１４  水流制限板ガイド、１５  水流制限板、１５ａ  足場ユニット用の水流制限板、１５ｂ  連結部用の水流制限板、１５ｃ  端部用の水流制限板、１５ｄ  パイプ取付具、１５ｅ  側縁部、１６  被ガイド部、１７  搬出入用横行レール、１８  トロリ、１９  吊具、２０  作業用足場、２０ａ  連結部、２０ｂ  支持具、２１  警戒用足場、２２ａ  第１の控え材、２２b  第２の控え材
【図１】
2015010366.tif 000003
【図３】
2015010366.tif 000004
【図４】
2015010366.tif 000005
【図５】
2015010366.tif 000006
【図６】
2015010366.tif 000007
【図７】
2015010366.tif 000008
【図８】
2015010366.tif 000009
【図９】
2015010366.tif 000010
【図１０】
2015010366.tif 000011
【図１２】
2015010366.tif 000012
【図１３】
2015010366.tif 000013
【図１４】
2015010366.tif 000014
【図１５】
2015010366.tif 000015
【図２】
2015010366.tif 000016
【図１１】
2015010366.tif 000017
【図１６】
2015010366.tif 000018